(57)【要約】【課題】構成が簡単で不具合が生じにくく、しかも簡単、迅速かつ確実なドア開閉作業が実現されるように支援する列車ドア開閉制御システムを提供すること。【解決手段】軌道上を走行し、当該軌道に沿って設置された駅のプラットホームＦ１に停止する列車Ｔのドア開閉制御を行う列車ドア開閉制御システムであって、所定駅のプラットホームＦ１に隣接する所定位置に、ホーム位置情報タグ４０およびリセットタグ５０を設置し、これらのタグからの情報を列車Ｔに搭載された検知器２０で読み取って、列車ＴのホームＦ１に対する位置を判断し、プラットホーム側のドアＤのみを開閉可能な状態としたり、列車Ｔの全ドアＤを開閉不可状態としたりする列車ドア開閉制御システムである。【選択図】  図２
2010254294.tif 000002
【特許請求の範囲】
【請求項１】
軌道上を走行し、当該軌道に沿って設置された駅のプラットホームに停止する列車のドア開閉制御を行う列車ドア開閉制御システムであって、
前記列車が停車する所定駅のプラットホームが前記軌道のどちら側に設置されているかに関するホーム位置情報を保持するホーム位置情報タグと、前記列車の全ドアの開閉を不可にする開閉不可指示情報を保持するリセットタグと、前記タグに保持された前記情報を検知する検知器と、前記列車のドア開閉制御に用いられる制御部と、を備えており、
前記ホーム位置情報タグは、前記軌道沿いであると共に前記所定駅のプラットホームに隣接する位置であり、しかも当該所定駅のプラットホームの列車停止位置に停止状態の列車の前記検知器の位置よりも列車進入方向側の位置に設置されており、
前記リセットタグは、前記軌道沿いであると共に前記所定駅のプラットホームに隣接する位置であり、しかも当該所定駅のプラットホームの列車停止位置に停止状態の列車の前記検知器の位置よりも列車進出方向側の位置に設置されており、
前記検知器及び前記制御部は、前記列車に設置されており、且つ当該制御部は、前記検知器が前記ホーム位置情報を検知すると、当該ホーム位置情報を基に認識されたプラットホーム設置サイドと同じサイドのドアのみを開閉可能な状態とし、前記検知器が前記開閉不可指示情報を検知すると、前記列車の全ドアを開閉不可状態とするものであることを特徴とする列車ドア開閉制御システム。
【請求項２】
前記列車は、その両端に運転台を備えており、
各運転台には、その運転台を列車の先頭にする場合にこれに対応して切替位置が前位置に切替えられる運転台切替器と、列車運転方法をワンマン運転方法にする場合にこれに対応して切替ポジションがワンマンポジションに切替えられる運転方法切替器とが設置されており、
前記運転方法切替器の切替ポジションがワンマンポジションである状態で、列車の先頭になる先頭運転台に設置された運転台切替器の切替位置が前位置に切替えられると、前記列車ドア開閉制御システムが起動するようになっており、前記先頭運転台の運転台切替器の切替位置が前位置からそれ以外の切替位置に切替えられると、前記列車ドア開閉制御システムが停止するようになっている請求項１に記載の列車ドア開閉制御システム。
【請求項３】
前記検知器は、前記軌道の敷設面に面した列車下部に設置されており、
前記ホーム位置情報タグ及び前記リセットタグは、前記軌道を支持する枕木の上に設置されている請求項１又は請求項２に記載の列車ドア開閉制御システム。
【請求項４】
前記制御部は、前記列車ドア開閉制御システムの起動後、前記検知器による最初の情報検知までの間、全ドアの開閉が可能な状態にするものである請求項１から請求項３のいずれか一項に記載の列車ドア開閉制御システム。
【請求項５】
前記制御部は、前記検知器が検知した前記ホーム位置情報タグ又は前記リセットタグからの情報が読取不可である場合、全ドアを開閉できない状態にするものである請求項１から請求項４のいずれか一項に記載の列車ドア開閉制御システム。
【請求項６】
前記所定駅のプラットホームは、上り及び下りの両方向の列車が走行する双方向軌道に沿って設置されており、当該双方向軌道に隣接して、下り列車用ホーム位置情報タグと、上り列車用ホーム位置情報タグと、下り列車用リセットタグと、上り列車用リセットタグとが設置されており、
前記下り列車用ホーム位置情報タグは、上り列車停止位置に停止した上り列車の前記検知器の位置よりも下り列車進入方向側の位置に設置されており、
前記上り列車用ホーム位置情報タグは、下り列車停止位置に停止した下り列車の前記検知器の位置よりも上り列車進出方向側の位置に設置されており、
前記下り列車用リセットタグは、前記上り列車用ホーム位置情報タグよりも下り列車進出方向側の位置に設置されており、
前記上り列車用リセットタグは、前記下り列車用ホーム位置情報タグよりも上り列車進出方向側の位置に設置されている請求項１から請求項５のいずれか一項に記載の列車ドア開閉制御システム。
【請求項７】
前記列車は、当該列車の一方側のサイドのドアの開閉を行う一方側の戸締機構と、他方側のサイドのドアの開閉を行う他方側の戸締機構と、一方側の戸締機構を開閉動作させるための一方側ドア開閉スイッチと、他方側の戸締機構を開閉動作させるための他方側ドア開閉スイッチと、前記一方側ドア開閉スイッチが設置された回路上に設置された一方側回路スイッチと、前記他方側ドア開閉スイッチが設置された回路上に設置された他方側回路スイッチとを備えるものであり、
前記制御部は、前記一方側回路スイッチおよび他方側回路スイッチのオンオフ制御を行うスイッチ制御部を有するものであり、
配線で結ばれた前記制御部と前記一方側回路スイッチとの間と、前記制御部と前記他方側回路スイッチとの間に、それぞれ、前記一方側回路スイッチ及び前記他方側回路スイッチ側から前記制御部側への電流の流れを阻止する整流作用を有する整流手段が設置されている、請求項１から請求項６のいずれか一項に記載の列車ドア開閉制御システム。
【発明の詳細な説明】
【技術分野】
【０００１】
本発明は、線路などの軌道上を走行する列車のドアの開閉制御を行う列車ドア開閉制御システムに関する。
【背景技術】
【０００２】
列車ドア開閉制御装置としては、例えば、列車ドアの開閉を的確かつ迅速に行うためのものがある。より具体的に説明すると、編成車両数が多数である列車がプラットホームに停車したときに、プラットホームに面していない列車ドアの開放を防止し、プラットホームに面している列車ドアだけが開放されるように制御しようとするものがある（特許文献１参照）。
【先行技術文献】
【特許文献】
【０００３】
【特許文献１】特開平７−２４２１７２号公報
【発明の概要】
【発明が解決しようとする課題】
【０００４】
ところで、上記従来の列車ドア開閉制御装置では、各列車ドアについてプラットホームに面しているか否かを検知するために多くのセンサ等の検出手段が必要であり、配線や制御が複雑になるという問題がある。配線や制御が複雑になると故障や不具合が生じやすくなる。
また、一両の車両からなる列車など、少数車両編成の列車では、列車の全てのドアについて、ドアの状態（例えばプラットホームに面しているか否かなど）を簡単かつ迅速に認識することが可能であるので、個々の列車ドアの開閉を制御することができる上記のような列車ドア開閉制御装置は必ずしも必要でない。
ところが、少数車両編成の列車は、ワンマン運転など、最小限の人数で列車の運行が行われる場合が少なくない。そして、少人数での列車運行では、運行従事者にかかる負担が大きい。従って、ドア開閉システムとしては、運行従事者にかかる負担ができるだけ小さいシステムが望ましい。
【０００５】
本発明は、このような問題点に鑑みてなされたものであり、構成が簡単で不具合が生じにくく、しかも簡単、迅速かつ確実なドア開閉作業が実現されるように支援する列車ドア開閉制御システムを提供することを課題とする。
【課題を解決するための手段】
【０００６】
上記課題を解決するため、本願発明は、以下のような列車ドア開閉制御システムを提供する。
本願発明は、軌道上を走行し、当該軌道に沿って設置された駅のプラットホームに停止する列車のドア開閉制御を行う列車ドア開閉制御システムであって、前記列車が停車する所定駅のプラットホームが前記軌道のどちら側に設置されているかに関するホーム位置情報を保持するホーム位置情報タグと、前記列車の全ドアの開閉を不可にする開閉不可指示情報を保持するリセットタグと、前記タグに保持された前記情報を検知する検知器と、前記列車のドア開閉制御に用いられる制御部と、を備えており、前記ホーム位置情報タグは、前記軌道沿いであると共に前記所定駅のプラットホームに隣接する位置であり、しかも当該所定駅のプラットホームの列車停止位置に停止状態の列車の前記検知器の位置よりも列車進入方向側の位置に設置されており、前記リセットタグは、前記軌道沿いであると共に前記所定駅のプラットホームに隣接する位置であり、しかも当該所定駅のプラットホームの列車停止位置に停止状態の列車の前記検知器の位置よりも列車進出方向側の位置に設置されており、前記検知器及び前記制御部は、前記列車に設置されており、且つ当該制御部は、前記検知器が前記ホーム位置情報を検知すると、当該ホーム位置情報を基に認識されたプラットホーム設置サイドと同じサイドのドアのみを開閉可能な状態とし、前記検知器が前記開閉不可指示情報を検知すると、前記列車の全ドアを開閉不可状態とするものであることを特徴とするものである。
そして、前記列車は、その両端に運転台を備えており、各運転台には、その運転台を列車の先頭にする場合にこれに対応して切替位置が前位置に切替えられる運転台切替器と、列車運転方法をワンマン運転方法にする場合にこれに対応して切替ポジションがワンマンポジションに切替えられる運転方法切替器とが設置されており、前記運転方法切替器の切替ポジションがワンマンポジションである状態で、列車の先頭になる先頭運転台に設置された運転台切替器の切替位置が前位置に切替えられると、前記列車ドア開閉制御システムが起動するようになっており、前記先頭運転台の運転台切替器の切替位置が前位置からそれ以外の切替位置に切替えられると、前記列車ドア開閉制御システムが停止するようになっているものでもよい。
また、前記検知器は、前記軌道の敷設面に面した列車下部に設置されており、
前記ホーム位置情報タグ及び前記リセットタグは、前記軌道を支持する枕木の上に設置されているものでもよい。
また、前記制御部は、前記列車ドア開閉制御システムの起動後、前記検知器による最初の情報検知までの間、全ドアの開閉が可能な状態にするものであってもよい。
また、前記制御部は、前記検知器が検知した前記ホーム位置情報タグ又は前記リセットタグからの情報が読取不可である場合、全ドアを開閉できない状態にするものであってもよい。
また、前記所定駅のプラットホームは、上り及び下りの両方向の列車が走行する双方向軌道に沿って設置されており、当該双方向軌道に隣接して、下り列車用ホーム位置情報タグと、上り列車用ホーム位置情報タグと、下り列車用リセットタグと、上り列車用リセットタグとが設置されており、前記下り列車用ホーム位置情報タグは、上り列車停止位置に停止した上り列車の前記検知器の位置よりも下り列車進入方向側の位置に設置されており、前記上り列車用ホーム位置情報タグは、下り列車停止位置に停止した下り列車の前記検知器の位置よりも上り列車進出方向側の位置に設置されており、前記下り列車用リセットタグは、前記上り列車用ホーム位置情報タグよりも下り列車進出方向側の位置に設置されており、前記上り列車用リセットタグは、前記下り列車用ホーム位置情報タグよりも上り列車進出方向側の位置に設置されているものでもよい。
また、前記列車は、当該列車の一方側のサイドのドアの開閉を行う一方側の戸締機構と、他方側のサイドのドアの開閉を行う他方側の戸締機構と、一方側の戸締機構を開閉動作させるための一方側ドア開閉スイッチと、他方側の戸締機構を開閉動作させるための他方側ドア開閉スイッチと、前記一方側ドア開閉スイッチが設置された回路上に設置された一方側回路スイッチと、前記他方側ドア開閉スイッチが設置された回路上に設置された他方側回路スイッチとを備えるものであり、前記制御部は、前記一方側回路スイッチおよび他方側回路スイッチのオンオフ制御を行うスイッチ制御部を有するものであり、配線で結ばれた前記制御部と前記一方側回路スイッチとの間と、前記制御部と前記他方側回路スイッチとの間に、それぞれ、前記一方側回路スイッチ及び前記他方側回路スイッチ側から前記制御部側への電流の流れを阻止する整流作用を有する整流手段が設置されているものでもよい。
【発明の効果】
【０００７】
本願発明によれば、ホーム位置情報タグが、軌道沿いであると共に所定駅のプラットホームに隣接する位置で、しかも当該所定駅のプラットホームの列車停止位置に停止状態の列車の検知器の位置よりも列車進入方向側の位置に設置されており、リセットタグが、軌道沿いであると共に所定駅のプラットホームに隣接する位置で、しかも当該所定駅のプラットホームの列車停止位置に停止状態の列車の検知器の位置よりも列車進出方向側の位置に設置されているので、プラットホームに停車していた列車がプラットホームから進出し、検知器がリセットタグの情報を検知すると、その後、列車の全ドアが開閉不可の状態になる。そして、列車がプラットホームに進入し、検知器がホーム位置情報タグの情報を検知すると、その後、列車のプラットホーム側のドアのみが開閉可能な状態になり、プラットホームとは反対側のドアについては開閉不可の状態が維持される。
つまり、上記いずれの状態においても、プラットホームに掛かっていないドアは開閉不可の状態であるので、プラットホームに掛かっていないドアを誤って開放させるようなことが確実に防止され、簡単かつ迅速なドア開閉作業が実現される。このように、簡単、迅速かつ確実なドア開閉を実現できるシステムは、ワンマン運転など少人数での列車運行に好適である。
また、列車側に制御部と検知器を設置し、地上側にホーム位置情報タグとリセットタグを設置するだけでよく、構成が極めて簡単であるので、不具合などが生じにくい。
【０００８】
そして、本願発明では、運転方法切替器の切替ポジションがワンマンポジションである状態で、列車の先頭になる先頭運転台に設置された運転台切替器の切替位置が前位置に切替えられると、列車ドア開閉制御システムが起動し、先頭運転台の運転台切替器の切替位置が前位置からそれ以外の切替位置に切替えられると、列車ドア開閉制御システムが停止するようになっている。つまり、運転台切替器を、列車ドア開閉制御システムのオンオフスイッチとして機能させている。従って、列車を走行させる際、確実に列車ドア開閉制御システムを起動させることができ、より確実なドア開閉制御を実現することができる。しかも、切替操作によって簡単かつ迅速に列車ドア開閉制御システムを起動させることができる。また、運転台切替器の切替位置が前位置以外の切替位置に切替えられる度に、列車ドア開閉制御システムが停止されてリセットされるようになっており、頻繁にシステムがリセットされる構成になっているので、制御システムの誤動作の発生をより確実に防止できるようになっている。
【０００９】
また、本願発明では、検知器は、軌道の敷設面に面した列車下部に設置されており、ホーム位置情報タグ及びリセットタグは、軌道を支持する枕木の上に設置されているので、枕木上に設置されたタグと当該タグの上方を通過する列車下部の検知器に関して、極めて安定した離間距離が確保される。検知器２０とタグ４０，５０との離間距離が安定していれば、離間距離に対応して、通信設定を最適化することができ、より確実に情報を検知できる環境が確保される。
【００１０】
また、本願発明では、列車ドア開閉制御システムの起動後、検知器による最初の情報検知までの間、全ドアが開閉可能なフリー状態になっており、列車の全ドアを自由に開閉できるようになっている。列車は、運行に使用される前に、駐車場等において点検されることがあるところ、点検時にドア開閉を行うことができなければ、ドアの開閉動作確認作業に手間がかかる。従って、本願発明のように、列車ドア開閉制御システムの起動後、最初の情報検知までの間、ドア開閉を自由に行うことができれば、ドア開閉閉動作確認などの点検作業を、迅速、容易かつ確実に行うことができる。
【００１１】
また、本願発明では、制御部は、検知器が検知したホーム位置情報タグ又はリセットタグからの情報が読取不可である場合、全ドアを開閉できない状態にするものであるので、プラットホームに面していない列車ドアを誤って開放させてしまうようなことが確実に防止される。
【００１２】
また、本願発明では、上り及び下りの両方向の列車が走行する双方向軌道に沿って設置された所定駅のプラットホームでは、当該双方向軌道に隣接して、下り列車用ホーム位置情報タグと、上り列車用ホーム位置情報タグと、下り列車用リセットタグと、上り列車用リセットタグとが設置されている。
そして、下り列車用ホーム位置情報タグは、上り列車停止位置に停止した上り列車の検知器の位置よりも下り列車進入方向側の位置に設置されている。従って、上り列車運行時、上り列車が停止位置で停止する前に、上り列車の検知器が誤って下り列車用ホーム位置情報タグの情報を検知することが確実に防止される。同様に、上り列車用ホーム位置情報タグは、下り列車停止位置に停止した下り列車の検知器の位置よりも上り列車進出方向側の位置に設置されている。従って、下り列車運行時、下り列車が停止位置で停止する前に、下り列車の検知器が誤って上り列車用ホーム位置情報タグの情報を検知することが確実に防止される。このような構成にすることで、ドア開閉制御システムによるドア開閉制御がより確実な動作になる。
また、下り列車用リセットタグは、上り列車用ホーム位置情報タグよりも下り列車進出方向側の位置に設置されているので、下り列車がプラットホームから進出するとき、検知器が最後に検知する情報は、開閉不可指示情報である。同様に、上り列車用リセットタグは、下り列車用ホーム位置情報タグよりも上り列車進出方向側の位置に設置されているので、上り列車がプラットホームから進出するとき、検知器が最後に検知する情報は開閉不可指示情報である。従って、駅のプラットホームから進出して次の駅のプラットホームに進入するまでの間、列車のドアを誤って開放させるようなことが確実に防止され、簡単かつ迅速なドア開閉作業が実現される。
【００１３】
また、本発明では、配線で結ばれた制御部と一方側回路スイッチとの間と、制御部と他方側回路スイッチとの間に、それぞれ、一方側回路スイッチ及び他方側回路スイッチ側から制御部側への電流の流れを阻止する整流作用を有する整流手段が設置されているので、回路スイッチのオンオフ動作の際に当該回路スイッチの接点においてノイズが発生しても、当該ノイズが制御部に悪影響が及ぶことが防止される。これにより、制御部の誤動作や動作停止などの不具合の発生がより確実に防止され、列車ドア開閉制御システムの運用状態をより安定させることができる。
【図面の簡単な説明】
【００１４】
【図１】本発明に係る実施形態の列車ドア開閉制御システムが用いられる列車や駅のプラットホームを示す説明用の斜視図である。
【図２】（ａ）は、実施形態の列車ドア開閉制御システムの列車側の構成を示す説明図であり、（ｂ）は、（ａ）に示される矢印Ａの向きから見た切替レバーを示す部分平面図であり、(ｃ)は、システムの構成を示すブロック図である。
【図３】図２（ａ）に示される列車の正面図である。車上送受信器および地上通信器の設置位置を示す説明図である。
【図４】（ａ）は、島式プラットホームの構成及びタグの配置を示す平面図であり、（ｂ）は、双方向軌道である線路に沿って設置されたプラットホームの構成及びタグの配置を示す平面図である。
【図５】ドア開閉制御システムの動作の流れを示すフローチャート図である。
【図６】図２（ｃ）に示される二点鎖線で囲まれた部分の具体的回路構成の一例を模式的に示す回路図である。
【符号の説明】
【００１５】
１０…ワンマン設定スイッチ（運転方法切替器）、１１…切替レバー（運転台切替器）、
１１ａ…前位置、１１ｂ…中位置、１１ｃ…後位置、
１２（１２Ｒ，１２Ｌ）…ドア開閉スイッチ、
１２Ｒａ，１２Ｌａ…開接点、１２Ｒｂ，１２Ｌｂ…閉接点、
１２ｐＲ，１２ｐＬ…給電回路（戸締機構動作回路）、
１２ｓＲ，１２ｓＬ…回路スイッチ、
１２ｓＲ１，１２ｓＬ１…開閉接点、１２ｓＲ２，１２ｓＬ２…コイル（開閉手段）
１３…表示ランプ、１３ａ…電源ランプ、
１３ｂ…開閉可ランプ（ドア開閉可通知手段）、
１３ｃ…開閉不可ランプ（ドア開閉不可通知手段）、
１３ｄ…異常ランプ（システム異常通知手段）、
１４（１４Ｒ，１４Ｌ）…戸締機構、
２０…検知器、３０…制御部（コントローラ）、３２…信号判断部、
３３…スイッチ制御部、３５…ランプ制御部、４０，５０…タグ、
４０ａ…下り列車用ホーム位置情報タグ、４０ｂ…上り列車用ホーム位置情報タグ、
４０ｃ…下り列車用ホーム位置情報タグ、４０ｄ…上り列車用ホーム位置情報タグ、
５０ａ…下り列車用リセットタグ、５０ｂ…上り列車用リセットタグ、
６１ａ，６１ｂ…ダイオード（整流手段）
Ｃ…運転台、Ｄ…ドア、
Ｅ…駅構内、Ｅsa…下り列車用の場内信号機、Ｅsb…上り列車用の場内信号機、
Ｆ１，Ｆ２…プラットホーム、
Ｊａ…下り列車進入方向側分岐点、Ｊｂ…上り列車進入方向側分岐点、Ｍ…枕木、
Ｐ１〜Ｐ９…列車位置、Ｒ，Ｒｓ１，Ｒｓ２，Ｒｄ１，Ｒｄ２，Ｒｍ…線路、
Ｓａ…下り列車停止位置、Ｓｂ…上り列車停止位置、
Ｓok-1…右側ドア開閉可能信号（ホーム位置情報）、
Ｓok-2…左側ドア開閉可能信号（ホーム位置情報）、
Ｓng…ドア開閉不可信号（開閉不可指示情報）、
Ｔ…列車、Ｔａ…車両、Ｘ…駅間。
【発明を実施するための形態】
【００１６】
以下、本発明に係る列車ドア開閉制御システム（以下、単にシステムと称することがある）について、図面を用いて詳細に説明する。
【００１７】
図１に示されるように、本実施例の列車ドア開閉制御システムは、線路Ｒなどの軌道を走行する列車Ｔにおいて用いられる。列車Ｔは、線路Ｒを走行し、線路Ｒに沿って設置された各駅のうち停車対象の駅のプラットホームＦ１に停車するように運行される。
【００１８】
図２（ａ）に示される列車Ｔは、一両以上の車両Ｔａによって構成されたものであり、列車Ｔの両端部（前後端部）に運転台Ｃが設置されている（図２（ａ）では一方のみ図示）。各運転台Ｃには、列車運転方法の設定の切替えに用いられるワンマン設定スイッチ（運転方法切替器）１０と、運転台Ｃの位置設定の切替えに用いられる切替レバー（運転台切替器）１１と、ドアＤを開閉するための戸締機構１４（図２（ｃ）参照）を操作するためのドア開閉スイッチ１２と、列車ドア開閉制御システムで用いられる表示ランプ１３とが設置されている。
【００１９】
ワンマン設定スイッチ１０は、列車Ｔの運転者がドア開閉を行う場合（ワンマン運転の場合）の設定位置であるオン位置と、同乗の車掌がドア開閉を行う場合(ツーマン運転と称されることのある運転の場合)の設定位置であるオフ位置とに切替可能になっている。列車Ｔの運転者は、同乗の車掌によってドア開閉が行われる場合、ワンマン設定スイッチ１０の設定位置をオフ位置にする。すると、ドア開閉スイッチ１２が作動不可の状態になり、ドア開閉スイッチ１２ではドアＤを開閉できないようになる。この状態では、図示しない車掌用ドア開閉スイッチによってドア開閉が行われる。他方、ワンマン運転の場合、列車Ｔの運転者は、ワンマン設定スイッチ１０の設定位置をオン位置にする。列車ドア開閉制御システムが起動状態且つ後述の回路スイッチ１２ｓがオンの状態で、このようにワンマン設置スイッチ１０がオン位置に設定されると、ドア開閉スイッチ１２が作動可能状態になり、車掌用ドア開閉スイッチのみならず、ドア開閉スイッチ１２によってもドアの開閉を行うことができるようになる。
【００２０】
図２（ｂ）に示されるように、切替レバー１１は、前位置１１ａ、中位置１１ｂ、後位置１１ｃのいずれかの位置に切替可能になっている。そして、切替レバー１１は、当該切替レバー１１が設置された運転台Ｃを列車Ｔの先頭にする場合すなわち列車操縦用に使用する場合、切替位置の設定が前位置１１ａになるように切替えられる。また、切替レバー１１は、当該切替レバー１１が設置された運転台Ｃを最後尾に位置させる場合、切替位置の設置が後位置１１ｃになるように切替えられる。なお、複数の車両で編成された列車にあって、切替レバー１１が設置された運転台Ｃが隣接車両との連結位置に位置する場合、当該切替レバー１１は中位置１１ｂに切替えられる。
切替レバー１１は、コントローラ３０に接続されており（図２（ｃ）参照）、列車ドア開閉制御システムのオンオフスイッチとしても機能する。つまり、いずれかの運転台Ｃに設置された切替レバー１１が前位置１１ａに切替えられると、当該切替操作に基づく信号がコントローラ３０に入力されてシステムのスイッチがオンになりシステムが起動する（図５のスタート参照）。そして、切替レバー１１を前位置１１ａから前位置１１ａ以外の位置に切替え、全ての切替レバー１１の設定が前位置１１ａ以外の位置に切替えられた状態になると、当該切替操作に基づく信号がコントローラ３０に入力されてシステムのスイッチがオフになりシステムが停止する。
【００２１】
ドア開閉スイッチ１２としては、列車Ｔの一方側（例えば列車進行方向右側）のドアの開閉用のスイッチ１２Ｒと他方側（例えば列車進行方向左側）のドアの開閉用のスイッチ１２Ｌとがあり（図２（ｃ）、図６参照）、それぞれのドア開閉スイッチ１２Ｒ，Ｌが運転台Ｃに設置されている。各ドア開閉スイッチ１２Ｒ，Ｌは、それぞれ開ボタン及び閉ボタンを備えており（いずれのボタンとも不図示）、両ボタンが操作されていないとき、各ドア開閉スイッチ１２Ｒ，Ｌはドアが開閉されないニュートラル状態（図６参照）になっている。そして、いずれかのドア開閉スイッチ１２Ｒ，Ｌの開ボタンが押されると、対応するドア開閉スイッチ１２Ｒ，Ｌが開接点１２Ｒａ，１２Ｌａに接続された状態になり、対応する側のドアＤの戸締機構１４Ｒ，１４Ｌが作動されてドアＤが開く。また、いずれかのドア開閉スイッチ１２Ｒ，Ｌの閉ボタンが押されると、対応するドア開閉スイッチ１２Ｒ，Ｌが閉接点１２Ｒｂ，１２Ｌｂに接続された状態になり、対応する側のドアＤの戸締機構１４Ｒ，Ｌが作動されてドアＤが閉じられる。運転者は、これらのドア開閉スイッチ１２Ｒ，Ｌを操作してドアＤの開閉を行うことができる。
なお、ドア開閉スイッチ１２Ｒ，Ｌは、対応する側のドアＤの戸締機構１４Ｒ，Ｌを動作させるための給電用の回路１２ｐＲ，１２ｐＬ（図６参照）中に設置されている。そして、この回路１２ｐＲ，Ｌ中に、当該回路１２ｐＲ，Ｌをオンオフするための回路スイッチ１２ｓＲ，１２ｓＬ（図２（ｃ）、図６参照）が設置されている。これらの回路スイッチ１２ｓＲ，１２ｓＬは、後述のコントローラ３０のスイッチ制御部３３によってオンオフ制御されるものであり、列車ドア開閉制御システムが起動している状態で、回路スイッチ１２ｓＲがオンになるとドア開閉スイッチ１２Ｒによってドア開閉を行うことができる状態になり、回路スイッチ１２ｓＬがオンになるとドア開閉スイッチ１２Ｌによってドア開閉を行うことができる状態になる。そして、これらの回路スイッチ１２ｓＲ，１２ｓＬがオフになると、ドア開閉スイッチ１２Ｒ，Ｌによるドア開閉が不可の状態になる。なお、スイッチ回路中に緊急時用のスイッチを別途設けて、緊急時にはいつでもスイッチ回路をオフ状態にすることができるようにしてもよい。
【００２２】
表示ランプ１３は、図２（ｃ）に示されるように、システム電源起動時に点灯する電源ランプ１３ａと、列車Ｔの左右いずれかのサイドのドアＤの開閉が可能であるときに点灯する開閉可ランプ（ドア開閉可通知手段）１３ｂと、列車Ｔの全ドアＤの開閉が不可であるときに点灯する開閉不可ランプ（ドア開閉不可通知手段）１３ｃと、システムに何らかの異常が生じているときに点灯する異常ランプ（システム異常通知手段）１３ｄとを備えている。
【００２３】
また、図２（ａ），（ｃ）に示されるように、列車Ｔには、地上側に設置された後述のタグ４０，５０からの情報を検知する検知器２０と、検知器２０からの出力信号が入力される列車ドア開閉制御システムの制御部（以下、コントローラ）３０とが搭載されている。
【００２４】
検知器２０は、列車Ｔの両端（前後）側に設置されている（図２（ａ）では一端側の検知器のみ図示）。つまり、各検知器２０は、各運転台Ｃに対応して設置されている。本実施例では、検知器２０として無線機器であるアンテナ（車上受信器）が用いられている。検知器２０は、地上側に設置された後述のタグ（地上送信器）４０，５０からの発信信号を受信し、受信した信号をコントローラ３０に向けて出力するものである。さらに、後述するように、本実施例の列車ドア開閉制御システムでは、常に、列車Ｔの先頭側の検知器２０を作動させて用いるようになっている。
【００２５】
なお、検知器２０及び後述のタグ４０，５０は、電波（マイクロ）を送受信するための送受信器（無線機器）である。検知器２０は、主に、タグからの発信電波信号を受信する受信器として用いられるものである。そして、タグ４０，５０は、主に、電波信号を発信する発信器として用いられるものである。実施形態で用いられているタグ４０，５０は、電源としての電池が内蔵された発信器であるが、電源を内蔵していない、いわゆる反射型の発信器でもよい。
【００２６】
また、検知器２０は、車両ＴａのドアＤよりも下方の検知器搭載位置に設置されている。より具体的に説明すると、検知器２０は、線路Ｒが設置された路面に面した列車下部で、しかもその中央部に設置されている。つまり、検知器２０は、路面（あるいは路面側）に設置された通信機器との間での信号の送受信が可能な状態で設置されている。このように、列車Ｔの下部に設置された検知器２０は、線路Ｒに隣接して設置された通信機器との間での信号の送受信に好適である。
【００２７】
検知器２０は、さらに、切替レバー１１によってスイッチがオンオフされるようになっている。つまり、いずれかの運転台Ｃに設置された切替レバー１１が前位置１１ａに切替えられると、その運転台Ｃに対応して設置された検知器２０だけスイッチがオンになる。このとき、その他の運転台Ｃに対応して設置された検知器２０のスイッチはオフのままである。その後、前位置１１ａに切替えられた切替レバー１１を前位置以外の位置に切替えると、対応する検知器２０のスイッチがオフになり、全ての検知器２０がオフの状態になる。
このように、切替レバー１１は、当該切替レバー１１が設置された運転台Ｃに対応する検知器２０のオンオフスイッチとしても機能するようになっている。
【００２８】
コントローラ３０は、検知器２０からの信号の種類を識別し、信号の情報内容を判断する信号判断部３２と、ドア開閉スイッチ１２Ｒ，Ｌが設置された回路１２ｐＲ，Ｌ（図６参照）中に設置された回路スイッチ１２ｓＲ，１２ｓＬのオンオフ制御を行うスイッチ制御部３３と、表示ランプ１３の点灯および消灯を制御するランプ制御部３５とを備えている。
【００２９】
信号判断部３２は、受信した信号の種類を判断する。検知器２０が受信する信号は、後述のホーム位置情報タグ４０から発信されるホーム位置情報（右側ドア開閉可能信号Ｓok-1又は左側ドア開閉可能信号Ｓok-2）や後述のリセットタグ５０から発信される開閉不可指示情報（ドア開閉不可信号Ｓng）である。つまり、信号判断部３２は、受信信号がこれらのうちのいずれの信号であるかを判断する。
【００３０】
スイッチ制御部３３は、コントローラ３０に入力された検知器２０からの信号に基づいて回路スイッチ１２ｓＲ，１２ｓＬ（図６参照）のオンオフを制御する。
検知器２０から右側ドア開閉可能信号Ｓok-1を受けると、コントローラ３０は、一方側（本実施形態では下り列車進行方向右側）のドア開閉スイッチ１２Ｒが設置された回路１２ｐＲ中の回路スイッチ１２ｓＲをオン状態にする。すると、一方側のドア開閉スイッチ１２Ｒによって、下り列車進行方向右側のドアＤを開閉することができる状態になる。また、検知器２０から左側ドア開閉可能信号Ｓok-2を受けると、コントローラ３０は、他方側（本実施形態では下り列車進行方向左側）のドア開閉スイッチ１２Ｌが設置された回路１２ｐＬ中の回路スイッチ１２ｓＬをオン状態にする。すると、他方側のドア開閉スイッチ１２Ｌによって、下り列車進行方向左側のドアＤを開閉することができる状態になる。
そして、検知器２０からドア開閉不可信号Ｓngを受けると、コントローラ３０は、両方のドア開閉スイッチ１２Ｒ，Ｌの回路中の回路スイッチ１２ｓＲ，１２ｓＬをオフ状態にする。すると、列車Ｔの両側のドア開閉スイッチ１２Ｒ，Ｌが共に作動しない状態になり、ドア開閉スイッチ１２Ｒ，Ｌによるドア開閉が不可の状態になる。つまり、列車の全ドアＤについて、ドア開閉スイッチ１２Ｒ，Ｌによる開閉が不可の状態になる。
【００３１】
ランプ制御部３５は、表示ランプ１３を構成する各種のランプの点灯及び消灯の状態を制御するものである。例えば、切替レバー１１が前位置１１ａに切替えられ、列車ドア開閉制御システムが起動されると、電源ランプ１３ａを消灯状態から点灯状態にし、前位置１１ａから前位置以外の位置に切替えられてシステムが停止されると、電源ランプ１３ａを点灯状態から消灯状態にする。そして、ランプ制御部３５は、システムが起動されると開閉可ランプ１３ｂを点灯し、システムが停止されると開閉可ランプ１３ｂを消灯する。また、ランプ制御部３５は、検知器２０からの信号が右側ドア開閉可能信号Ｓok-1または左側ドア開閉可能信号Ｓok-2であると、開閉可ランプ１３ｂの点灯（または点灯状態の維持）をすると共に開閉不可ランプ１３ｃの消灯（または消灯状態の維持）をする。他方、検知器２０からの信号がドア開閉不可信号Ｓngであると、開閉不可ランプ１３ｃの点灯（または点灯状態の維持）をすると共に開閉可ランプ１３ｂの消灯（または消灯状態の維持）をする。さらに、システムについて何らかの異常を検知すると、異常ランプ１３ｄの点灯（または点灯状態の維持）を行い、全ての異常状態が解消されると、異常ランプ１３ｄを消灯する。
【００３２】
また、列車ドア開閉制御システムは、図１、図３及び図４に示されるように、地上側に設置されたホーム位置情報タグ４０（４０ａ，４０ｂ）及びリセットタグ５０（５０ａ，５０ｂ）を備えている。図３に示されるように、タグ４０，５０は、線路Ｒ（Ｒｓ１，Ｒｓ２，Ｒｄ１，Ｒｄ２）のレールの下に敷かれた枕木Ｍの上であって、２本一組のレールの間であるレール間位置に設置されている（図１、図４では枕木Ｍは不図示）。当該レール間位置は、タグ４０，５０の設置位置として極めて好適である。
例えば、タグをプラットホームなど列車の側方に設置すると、検知器を列車側部に設置する必要が生じると共に、列車の両側に検知器を設置する必要が生ずるが、本実施形態のように、タグ４０，５０をレール間位置に設置すると、検知器２０を列車下部に一つ設置するだけでよい。つまり、本実施形態のように検知器２０及びタグ４０，５０を設置すると、列車ドア開閉制御システムの構成をシンプルにすることができる。また、レール間位置に設置されたタグ４０，５０は、列車Ｔの運転者から視認しやすく、目標や目印として使用可能である。
ところで、検知器２０とタグ４０，５０との間における通信は、列車側の検知器２０がタグ４０，５０の上を通過するときに行われる。つまり、送受信器の一方である検知器２０は移動状態で通信を行う。また、検知器２０とタグ４０，５０との間の通信は、屋外で行われるものである。このように、検知器２０とタグ４０，５０との間の通信環境は必ずしも一定ではない。この点、枕木Ｍ上にタグ４０，５０を設置することは、より安定した通信を行う上で好ましいことである。つまり、列車Ｔは枕木Ｍ上に敷設されたレール上を走行するものであり、枕木Ｍと列車Ｔとの間の距離は極めて安定している。従って、枕木Ｍ上にタグ４０，５０を設置すると、当該タグ４０，５０とタグ上方を通過する列車側の検知器２０との離間距離は極めて安定する。検知器２０とタグ４０，５０との離間距離が一定であれば、離間距離に対応して通信設定を最適化することができるので、より確実な信号の送受信状態が確保される。
なお、枕木Ｍの材質は特に限定されるものではない。枕木であれば、木製、コンクリート製をはじめとして、種々の材質の枕木であってよい。
【００３３】
ホーム位置情報タグ４０は、当該タグ設置駅のプラットホームＦ１が列車進行方向を基準として、左右どちら側（一方側または他方側のどちら側）に設置されているかに関するホーム位置情報（すなわち右側ドア開閉可能信号Ｓok-1や左側ドア開閉可能信号Ｓok-2）を保持している。つまり、ホーム位置情報タグ４０は、右側ドア開閉可能信号Ｓok−1を発信する右側用タグと、左側ドア開閉可能信号Ｓok-2を発信する左側用タグの２種類だけである。つまり、本実施形態で用いられるホーム位置情報タグ４０は、上り下りの方向とは無関係に、列車の進行方向を基準として停止対象のプラットホームが左右いずれの側に設置されているかという点のみに着目して設置できるものであり、極めて設置が容易である。
【００３４】
そして、ホーム位置情報タグ４０は、レールＲに対して次のような位置に設置されている。
例えば、下り列車用ホーム位置情報タグ（右側用タグ）４０ａは、図４（ａ）に示されるように、線路Ｒｄ１沿いであって、プラットホームＦ１に隣接しており、しかも当該プラットホームＦ１の下り列車停止位置Ｓａに停車した状態の下り列車Ｔ（図４（ａ）のＰ２参照）に搭載された検知動作中の検知器２０の位置２０ａよりも、下り列車進入方向側（図４（ａ）では左側）の位置に設置されている。本実施例では、検知器２０の搭載位置は、列車Ｔの先頭位置（すなわち下り列車停止位置Ｓａ）から下り列車進入方向に長さＬだけ車両中央寄りの位置である。従って、下り列車用ホーム位置情報タグ４０ａの位置は、下り列車停止位置Ｓａに停車した下り列車Ｔの検知動作中の検知器２０の搭載位置に対応するプラットホームＦ１上の位置２０ａよりも下り列車進入方向側（図４（ａ）では左側）の位置である。なお、検知器２０の搭載位置は、上記位置に限られるものではなく、例えば列車Ｔの先頭位置（Ｌ＝０）であってもよい。この場合、検知器２０の搭載位置に対応するプラットホームＦ１上の位置は下り列車停止位置Ｓａに一致する。
そして、下り列車用ホーム位置情報タグ４０ａは、図４（ａ）に示されるようにプラットホームＦ１の下り列車進入方向側に線路の分岐がある場合、停車対象のプラットホームＦ１の下り列車進入方向側であって、最もプラットホームＦ１寄りに位置する分岐点（下り列車進入方向側分岐点）Ｊａの位置よりもプラットホームＦ１寄りの位置すなわち下り列車進出方向側（図４（ａ）では右側）の位置に設置されている。図４（ａ）に示される下り列車進入方向側分岐点Ｊａは、プラットホームＦ１の下り列車進入方向側に位置する単線区間（共通区間）Ｒｓ１から第１番線区間Ｒd1及び第２番線区間Ｒd2に分岐する分岐点である。
また、下り列車用ホーム位置情報タグ４０ａは、図４（ａ）に示されるように、停車対象のプラットホームＦ１がある駅の駅構内Ｅに設置されている。別言すれば、下り列車用ホーム位置情報タグ４０ａは、駅構内Ｅに進入して良いか否かを表示する下り列車用の場内信号機Ｅｓａよりもプラットホーム寄りの位置すなわち下り列車進出方向側（図４（ａ）では右側）の位置に設置されているということができる。駅構内Ｅへの進入の可否を表示する場内信号Ｅｓａは、通常、駅間Ｘと駅構内Ｅとの境界位置に設置されているからである。ここで、駅間Ｘとは、隣接する駅の駅構内Ｅの間の区間をいう。
なお、下り列車用ホーム位置情報タグ４０ａは、プラットホームＦ１に沿って敷設された線路内位置すなわちプラットホームＦ１の下り列車進入方向側の端部の位置よりも下り列車進出方向側の位置に設置されていることが好ましく、プラットホームＦ１の下り列車進入方向側の端部に列車最後尾位置が達した状態の下り列車Ｔに搭載された検知動作中の検知器２０の位置よりも下り列車進出方向側の位置に設置されていることがより好ましい。
また、上り列車に搭載された検知動作中検知器の搭載位置と、上り列車停止位置Ｓｂと、当該上り列車停止位置Ｓｂに停車した上り列車の検知動作中検知器の搭載位置に対応するプラットホーム上の位置２０ｂと、上り列車用ホーム位置情報タグ（右側用タグ）４０ｂの位置と、停車対象のプラットホームの上り列車進入方向側にある最もプラットホーム寄りの分岐点Ｊｂの位置と、駅構内Ｅと、上り列車用の場内信号機Ｅｓｂの位置との位置関係は、上述した下り列車についての対応位置どうしの位置関係と、下りと上りが異なること以外同様であるので、ここでは、その説明を省略する。そして、下り列車進入方向と上り列車進出方向とは同じ方向であると共に、下り列車進出方向と上り列車進入方向とは同じ方向であり、これらは以下同様である。
【００３５】
また、リセットタグ５０は、列車Ｔの全ドアＤの開閉を不可にする開閉不可指示情報であるドア開閉不可信号Ｓngを保持している。そして、リセットタグ５０は、次のような位置に設置されている。
例えば、下り列車用リセットタグ５０ａは、線路Ｒｄ１沿いであって、プラットホームＦ１に隣接しており、しかも当該プラットホームＦ１の下り列車停止位置Ｓａに停止した下り列車Ｔ（図４（ａ）のＰ２参照）に搭載された検知動作中の検知器２０の検知器搭載位置よりも下り列車進出方向側（図４（ａ）では右側）の位置に設置されている。
そして、下り列車用リセットタグ５０ａは、図４（ａ）に示されるように、下り列車進出方向側に位置する単線区間（共通区間）Ｒｓ２から第１番線区間Ｒd1及び第２番線区間Ｒd2に分岐する分岐点（下り列車進出方向側分岐点）Ｊｂよりも下り列車進入方向側（図４（ａ）では左側）に設置されている。
また、下り列車用リセットタグ５０ａは、図４（ａ）に示されるように、停車対象のプラットホームＦ１がある駅の駅構内Ｅに設置されている。別言すれば、下り列車用リセットタグ５０ａは、駅構内Ｅに進入して良いか否かを表示する上り列車用の場内信号機Ｅｓｂよりもプラットホーム寄りの位置すなわち下り列車進入方向側（図４（ａ）では左側）の位置に設置されているということができる。駅構内Ｅへの進入の可否を表示する場内信号Ｅｓｂは、通常、駅間Ｘと駅構内Ｅとの境界位置に設置されているからである。
なお、下り列車用リセットタグ５０ａは、プラットホームＦ１の下り列車進出方向側の端部の位置よりも下り列車進入方向側の位置に設置されていることが好ましく、プラットホームＦ１の下り列車進出方向側の端部に列車先頭位置が達した状態の下り列車Ｔに搭載された検知動作中の検知器２０の位置２０ａよりも下り列車進入方向側の位置に設置されていることがより好ましい。
また、上り列車用リセットタグ５０ｂと、列車停止位置Ｓｂと、上り列車に搭載された検知動作中検知器の搭載位置と、停車対象のプラットホームの上り列車進入方向側にある最もプラットホーム寄りの分岐点Ｊｂの位置と、駅構内Ｅと、上り列車用の場内信号機Ｅｓｂの位置との位置関係は、上述した下り列車についての対応位置どうしの位置関係と、下りと上りが異なること以外同様であるので、ここでは、その説明を省略する。
ここでは、便宜的に、下り列車用リセットタグ５０ａと、上り列車用リセットタグ５０ｂとに分けて説明を行ったが、両リセットタグ５０ａ，５０ｂは、いずれもドア開閉不可信号Ｓngを発信する同じ種類のタグである。つまり、リセットタグ５０の種類は一種類だけであり、極めてシンプルな構成である。このように、下り列車用リセットタグ５０ａ及び上り列車用リセットタグ５０ｂとして共通のリセットタグ５０を用いるシステムでは、リセットタグ５０の取り違いがなく、リセットタグ５０の設置、交換、保守点検、管理などの作業をより効率的に行うことが可能である。
【００３６】
そして、タグ４０，５０は、検知器２０からの所定の起動信号を受信すると起動して、保持情報を信号として発信し、所定の起動信号を受信しない状態になると、それから所定時間経過後に動作停止するものである。つまり、各タグ４０，５０は、列車運行上、列車が通過するときのみ作動し、タグ４０，５０の上方に検知器２０がないときは作動しないようになっている。このような構成にすると、タグ４０，５０に内蔵された電池の消耗が抑制され、電池交換などの保守点検なしにタグ４０，５０を長期間動作させることができる。
また、上述したように、検知器２０のスイッチは、当該検知器２０に対応する運転台Ｃの切替レバー１１が前位置１１ａに切替えられるとオンになり、前位置以外の位置に切替えられるとオフになるようになっている。つまり、列車Ｔには複数の検知器２０が設置されているが、列車走行時にスイッチがオンになるのは、複数の検知器２０のうちの一つだけである。このような構成にすると、タグ４０，５０のスイッチがオンになるのは、動作中の検知器２０がタグ４０，５０の上方を通過するときだけであり、停止中の検知器２０が通過してもタグのスイッチはオフのままであるので、内蔵された電池の消耗がさらに抑制され、電池交換などの保守点検なしにタグ４０，５０を長期間動作させることができる。
【００３７】
次に、このような列車ドア開閉制御システムの動作を、図４（ａ）に示される配置図、図５に示されるフローチャートや図６を参照しつつ説明する。
【００３８】
本ドア開閉制御システムでは、切替レバー１１が前位置１１ａに切替えられるとシステムが起動して動作を開始する（図５のスタート参照）。このとき、同時に、コントローラ３０のランプ制御部３５の制御によって電源ランプ１３ａが消灯状態から点灯状態になる。また、本システムでは、システムが起動されると回路スイッチ１２ｓＲ，１２ｓＬがオンに設定され、ランプ制御部３５の制御によって開閉可ランプ１３ｂが消灯状態から点灯状態になる全ドア開閉可能ステップが実行される（ステップ１）。
【００３９】
つまり、システムの起動後、検知器２０による最初の情報検知までの間、列車Ｔの全ドアＤを自由に開閉できるフリー状態が確保される（ステップ１）。従って、この状態で、ワンマン設置スイッチ１０がオン位置に設定されれば、ドア開閉スイッチ１２Ｒ，Ｌが作動可能状態になり当該ドア開閉スイッチ１２によってドアの開閉を行うことができるようになる。このように、ワンマン設置スイッチ１０がオンの状態であれば、システムの起動後、最初の情報検知までの間、ドア開閉を自由に行うことができるので、ドア開閉スイッチ１２Ｒ，Ｌによるドア開閉の動作確認を、迅速、容易かつ確実に行うことができる。
【００４０】
次に、ワンマン運転の状態が維持されており、切替レバー１１が前位置であるかを確認する切替レバー位置検知ステップが実行される（ステップ２）。
ここで、切替レバー１１が前位置１１ａ以外の位置であと、システムが停止して、システムの動作が終了する（図５のエンド）。
他方、切替レバー１１の位置が前位置１１ａに維持されていれば、システム起動状態が維持され、コントローラ３０が信号入力待ちの状態になる信号入力待ちステップが実行される（ステップ３）。
【００４１】
そして、信号入力待ちの状態で、列車Ｔの検知器２０がいずれかのタグ４０，５０から情報を検知すると、以下説明するように、タグ４０，５０からの情報に基づいたドア開閉制御が行われる。
【００４２】
コントローラ３０が信号入力待ちの状態である場合としては、例えば、駐車場でシステム起動された後、駐車場から駅のプラットホームに向かって走行する列車Ｔや、前の駅を進出し、次の駅に向かって走行する列車Ｔなどを挙げることができる。
【００４３】
そこで、ここでは、一両編成の下り列車Ｔが単線路線に設置された島式プラットホームＦ１（図４（Ａ）参照）からなる駅に向かって走行する状態を基点として、以下、信号入力待ち（ステップ３）以降の動作を説明する。なお、島式プラットホーム（以下、島式ホームとも称する）Ｆ１は、線路Ｒの単線区間Ｒｓ１、Ｒｓ２から分岐した第１番線区間Ｒd1及び第２番線区間Ｒd2に挟まれる状態で設置されたホームである。
【００４４】
島式ホームＦ１に向かって線路Ｒｓ１上を走行している列車Ｔのコントローラ３０は、上述したように、信号入力待ちの状態である（ステップ３）。
そして、当該検知器２０が最後に検知した情報は、通常、前の駅の下り列車用リセットタグからの情報である。従って、この場合、下り列車はドアＤの開閉が不可の状態である。なお、このとき表示ランプ１３は、電源ランプ１３ａ及び開閉不可ランプ１３ｃが点灯状態であり、開閉可ランプ１３ｂ及び異常ランプ１３ｄが消灯状態である。
【００４５】
その後、下り列車ＴがプラットホームＦ１に進入し、図４（ａ）において二点鎖線で示される位置Ｐ１に達すると、検知器２０が下り列車用ホーム位置情報タグ４０ａからの信号Ｓok-1を検知し、この信号がコントローラ３０へと入力される。
なお、下り列車Ｔが位置Ｐ１に達した状態では、動作中の検知器２０は、下り列車用ホーム位置情報タグ４０ａの直上方に位置しているが、図の複雑化を避けるため、図４（ａ）では検知器２０の図示を省略した。また、列車Ｔが図４（ａ）の位置Ｐ３に達した状態や、図４（ｃ）の位置Ｐ４，Ｐ５，Ｐ７，Ｐ８に達した状態においても、同様に、タグの直上方に位置する検知器２０の図示を省略した。
【００４６】
信号待ち状態のコントローラ３０は、検知器２０からの信号を受けると、次に、入力された信号の内容を読み取ることができるか否かを判断する信号読取可否判断ステップを実行する（ステップ４）。そして、読み取ることができる場合、システムは正常であるので、異常ランプを消灯（または消灯状態を維持）する異常ランプ消灯ステップを実行し（ステップ５）、続いて、信号の内容を具体的に判断する信号読取ステップを実行する（ステップ７）。
【００４７】
検知器２０が受信した信号は、下り列車用ホーム位置情報タグ４０ａからの右側ドア開閉可能信号Ｓok-1であるので、次に、右側ドア開閉可能ステップが実行される（ステップ８）。これにより、列車進行方向右側のドア開閉スイッチ１２Ｒの回路スイッチ１２ｓＲがオンになり、列車進行方向右側のドア開閉スイッチ１２Ｒが動作可能な状態になる（ステップ８）。また、このとき、ドア開閉可ランプ１３ｂを消灯状態から点灯状態にし、ドア開閉不可ランプ１３ｃの消灯状態を維持する。なお、この時点で、開閉可ランプ１３ｂが既に点灯状態である場合は、開閉可ランプ１３ｂの点灯状態を維持する。また、この時点で、開閉不可ランプ１３ｃが点灯状態である場合は、開閉不可ランプ１３ｃを点灯状態にする。以下、ランプの点灯維持制御については、ここで説明した内容と同様であるので、詳細な説明を省略する。
列車進行方向右側のドア開閉スイッチ１２Ｒが動作可能な状態になると、当該右側ドア開閉スイッチ１２Ｒの操作によって右側のドアＤの戸締機構１４Ｒ（図２（ｃ）、図６参照）を動作させることで列車右側のドアＤを開閉することができる。そして、運転者は、開閉可ランプ１３ｂや不可ランプ１３ｃの点灯状態を視認することによって、ドア開閉スイッチ１２によるドア開閉が可能であることを簡単且つ迅速に認識できる。
その後、コントローラ３０は、切替レバー１１が前位置１１ａであることを確認した後（ステップ２）、切替位置を再び信号待ちの状態になる（ステップ３）。ステップ２において、切替レバー１１の位置が前位置以外に切替えられていた場合は、制御を終了する。
【００４８】
ところで、先に説明した信号読取可否判断ステップ（ステップ４）において、入力された信号が化け信号である場合など、何らかの原因で信号の内容を読み取ることができない場合は、信号内容の判断不能という不具合が発生したことになるので、異常ランプを点灯させて異常状態を知らせる（ステップ６）。そして、全ドア開閉不可ステップが実行され（ステップ１０）、両側のドア開閉スイッチ１２Ｒ，Ｌの回路スイッチ１２ｓＲ，１２ｓＬがいずれもオフにされて、ドア開閉スイッチ１２Ｒ，Ｌによるドア開閉ができない状態になり、ドア開閉可ランプ１３ｂが消灯状態されると共にドア開閉不可ランプ１３ｃが点灯状態にされる（ステップ１０）。そして、その後、切替レバー１１が前位置１１ａであることを確認して（ステップ２）、信号待ちの状態に戻る（ステップ３）。
このように、本実施形態のシステムでは、信号読取不可と判断すると、ドア開閉スイッチ１２Ｒ，Ｌによるドア開閉をすることができなくなる制御を行う。このような制御にすると、プラットホームに面していない列車ドアを誤って開放させてしまうようなことが確実に防止される。
また、本実施形態のシステムでは、信号読取不可と判断すると、異常ランプ（システム異常通知手段）１３ｄ及びドア開閉不可ランプ（ドア開閉不可通知手段）１３ｃが点灯される。これにより、運転者に対して迅速に、異常発生と、ワンマンドアスイッチによるドア開閉ができない状態であることとが通知される。
ところで、信号読取不可の場合に異常ランプ１３ｄを点灯させる動作は、タグ４０，５０の異常検知手段として機能する。つまり、信号内容の読取りが正常に続いている状態で、単発的に、信号読取不可の状態が生じた場合、その主原因はタグ４０，５０から信号が発信されていない場合になるからである。従って、本システムによれば、迅速にタグ４０，５０の不具合を発見することができる。なお、上述したように、異常ランプ点灯状態になると、ドア開閉スイッチ１２Ｒ，Ｌによるドア開閉を行うことができない状態になるが、上述したように、必要に応じて、車掌用ドア開閉スイッチによってドアの開閉を行うことができる。
なお、ステップ４において信号内容を判断できなかった場合の動作は、以降においても生ずることがあるが、ここで説明した動作と同様であるので、以下説明を省略する。
【００４９】
その後、プラットホームＦ１に進入した下り列車Ｔは、下り列車停止位置Ｓａに停止する（位置Ｐ２参照）。ここで、運転者は、下り列車進行方向右側に位置する一方側のドア開閉スイッチ１２Ｒを使って、下り列車進行方向右側のドアＤを開いて乗降可能な状態にし、その後、当該ドアＤを一方側のドア開閉スイッチ１２Ｒを使って閉じて列車Ｔの走行を再開する。
走行を再開した列車Ｔが位置Ｐ３（図４（ａ）参照）に達すると、検知器２０は、下り列車用リセットタグ５０ａからのドア開閉不可信号Ｓngを検知し、検知されたドア開閉不可信号Ｓngがコントローラに入力される。
【００５０】
コントローラ３０は、先に説明したように、入力された信号を受信し（ステップ３）、その信号が読み取り可能であると判断すると（ステップ４）、ランプ状態のステップ（ステップ５）を経て、信号の内容を読み取る（ステップ７）。
【００５１】
ここで、検知器２０が受信した信号は、下り列車用リセットタグ５０ａからのドア開閉不可信号Ｓngであるので、両側のドア開閉スイッチ１２Ｒ，Ｌの回路スイッチ１２ｓＲ，１２ｓＬがオフになり、両側のドア開閉スイッチ１２Ｒ，Ｌが動作不可の状態になる（ステップ１０）。この状態になると、ドア開閉スイッチ１２Ｒ，Ｌでは列車の全ドアＤを開閉することができない状態になる。また、同時に、開閉可ランプ１３ｂが点灯状態から消灯状態になり、開閉不可ランプ１３ｃが消灯状態から点灯状態になる（ステップ１０）。これにより、運転者は、ドア開閉スイッチ１２Ｒ，Ｌによってドアを開閉できないことを簡単且つ迅速に認識できる。そして、コントローラ３０は、切替レバー１１の位置を確認した後（ステップ２）、再び信号待ちの状態になる（ステップ３）。
【００５２】
下り列車Ｔは、その後、次の駅のプラットホームに進入すると、当該次の駅に設置された下り列車用ホーム位置情報タグからの信号を検知器２０で検知することになり、上記動作を繰り返すことなる。このとき、例えば、下り列車用ホーム位置情報タグが左側用タグであれば、検知器２０は、左側ドア開閉可能信号Ｓok-2を受信することになり、図５に示される左側ドア開閉可能ステップ（ステップ９）が実行されることになる。実行する内容は、開閉可能になるドアが右側ではなく左側であること以外ステップ８と同様であるので、ここでは、その詳細な説明を省略する。
【００５３】
このように、本実施形態の列車ドア開閉制御システムを用いれば、プラットホームＦ１側のドアＤだけを開閉でき、プラットホームＦ１とは反対側のドアＤは開閉できない状態を確保することができるので、プラットホームＦ１とは反対側のドアＤを誤って開放させるようなことが確実に防止され、簡単かつ迅速なドア開閉作業が実現される。簡単、迅速かつ確実なドア開閉を実現できるシステムは、ワンマン運転など少人数での列車運行に好適である。また、列車側に制御部及び検知器を設置し、地上側にホーム位置情報タグとリセットタグを設置するだけでよく、構成が極めて簡単であるので、システム不具合が生じにくい。
【００５４】
そして、上述したように、切替レバー１１が前位置１１ａ以外の位置に切替えられると、システムが停止して、システムの動作が終了するようになっており、これらの操作が行われる度に、頻繁に列車ドア開閉制御システムを停止されてリセットできるようになっているので、制御システムの不具合発生をより確実に防止することができる。
【００５５】
また、上述したように、列車ドア開閉制御システムの起動後、検知器による最初の情報検知まで、ワンマン設置スイッチ１０がオンであれば、ドア開閉スイッチ１２Ｒ，Ｌによって全ドアの開閉が可能なフリー状態になっており、その間、列車の全ドアを自由に開閉できるようになっている（ステップ１参照）。列車ドア開閉制御システムが起動される状況とは、例えば、始発駅に入線する前の駐車場所に停車している状態や折返し駅のプラットホームに停車している状態などである。このような状態の列車Ｔを実際の運行に用いる場合は、その事前作業として、ドア開閉スイッチ１２Ｒ，Ｌによるドア開閉の動作確認などの点検作業を行う必要がある場合があるところ、列車ドア開閉制御システム起動時に自動的に全ドアの開閉が可能なフリー状態が確保されれば、上記ドア開閉動作確認を、迅速、容易かつ確実に行うことができる。
【００５６】
次に、線路Ｒに対するプラットホームＦ２の配置が異なっており、プラットホームＦ２に対するタグ４０，５０の配置が異なっている駅に列車Ｔが停車する場合について、図４（ｂ）及び図５を参照しつつ説明する。
【００５７】
つまり、上り列車及び下り列車の両方が走行する単線路線の線路（双方向軌道）Ｒｍに沿って設置されたプラットホームＦ２からなる駅に、１両編成の下り列車Ｔが到着する場合について説明する。なお、上記の実施例と同様のことについては、その説明を省略する。
【００５８】
この駅では、ホーム位置情報タグ４０は、次のような位置に設置されている。
例えば、下り列車用ホーム位置情報タグ（右側用タグ）４０ｃは、図４（ｂ）に示されるように、線路Ｒｍ沿いであって、プラットホームＦ２に隣接しており、しかも当該プラットホームＦ２の上り列車停止位置Ｓｂに停止した上り列車Ｔに搭載された検知動作中の検知器２０の検知器搭載位置２０ｂより下り列車進入方向側の位置に設置されている。そして、上り列車用ホーム位置情報タグ（左側用タグ）４０ｄは、図４（ｂ）に示されるように、線路Ｒｍ沿いであって、プラットホームＦ２に隣接しており、しかも当該プラットホームＦ２の下り列車停止位置Ｓａに停止した下り列車Ｔ（図４（ｂ）のＰ６参照）に搭載された検知動作中の検知器２０の検知器搭載位置２０ａより上り列車進入方向側の位置に設置されている。
なお、さらに言えば、本実施形態では、下り列車用ホーム位置情報タグ４０ｃは、プラットホームＦ２の上り列車停止位置Ｓｂよりも下り列車進入方向側の位置に設置されており、上り列車用ホーム位置情報タグ４０ｄは、プラットホームＦ２の下り列車停止位置Ｓａより上り列車進入方向側の位置に設置されている。
【００５９】
また、リセットタグ５０は、次のような位置に設置されている。
例えば、下り列車用リセットタグ５０ａは、線路Ｒｍ沿いであって、プラットホームＦ２に隣接しており、しかも当該プラットホームＦ２の上り列車用ホーム位置情報タグ４０ｄよりも下り列車進出方向側の位置に設置されている。そして、上り列車用リセットタグ５０ｂは、線路Ｒｍ沿いであって、プラットホームＦ２に隣接しており、しかも当該プラットホームＦ２の下り列車用ホーム位置情報タグ４０ｃよりも下り列車進出方向側の位置に設置されている。
【００６０】
なお、図４（ｃ）に示されるように、ホーム位置情報タグ４０ｃ，４０ｄ及びリセットタグ５０ａ，５０ｂは、いずれも、停車対象のプラットホームＦ２がある駅の駅構内Ｅに設置されている。
また、先に説明した通り、下り列車停止位置Ｓａに停車中の列車Ｔに搭載された検知作動中の検知器２０の位置は、下り列車停止位置Ｓａ（すなわち停車中の列車Ｔの先頭位置）から下り列車進入方向に距離Ｌだけ移動した検知器搭載位置であり、上り列車停止位置Ｓｂに停車中の列車Ｔに搭載された検知作動中の検知器２０の位置は、上り列車停止位置Ｓｂ（すなわち停車中の列車Ｔの先頭位置）から上り列車進入方向に距離Ｌだけ移動した検知器搭載位置である。
【００６１】
このようなプラットホームＦ２に列車Ｔが停車する場合の列車ドア開閉制御システムの動作を、図４（ｂ）に示される配置図や図５に示されるフローチャートを参照しつつ説明する。なお、先に説明した島式ホームＦ１に進入、停車し、その後進出する際の動作と同様のものについては、その詳細な説明を省略する。
【００６２】
ここでは、一両編成の下り列車Ｔが単線路線の線路Ｒｍに沿って設置されたプラットホームＦ２（図４（ｂ）参照）に向かって走行する状態を基点として動作を説明する。
【００６３】
プラットホームＦ２に向かって線路Ｒｍ上を走行する列車Ｔの検知器２０は、上述した島式ホームＦ１に向かって走行する列車Ｔと同様、信号入力待ちの状態である（ステップ３）。
そして、当該検知器２０が最後に検知した情報は、通常、前の駅の下り列車用リセットタグからの情報である。従って、この場合、下り列車はドアＤの開閉が不可の状態であり、列車両側のドアＤのドア開閉スイッチ１２Ｒ，Ｌの回路スイッチ１２ｓＲ，１２ｓＬがオフの状態である。
【００６４】
下り列車Ｔは、その後、プラットホームＦ２に進入して位置Ｐ４（図４（ｂ）参照）に達する。ここで、下り列車Ｔの検知器２０は、タグ５０ｂからのドア開閉不可信号Ｓngを検知する。そして、検知されたドア開閉不可信号Ｓngが信号入力待ち状態のコントローラ３０の信号判断部３２に入力される。信号判断部３２は、入力された信号が読み取り可能であると判断すると（ステップ４）、ランプ制御ステップ（ステップ５）を経て、信号の内容を読み取る（ステップ７）。入力された信号はドア開閉不可信号Ｓngであるので、信号内容を読み取ったコントローラ３０は、両側のドア開閉スイッチ１２Ｒ，Ｌの回路スイッチ１２ｓＲ，１２ｓＬがオフの状態を維持する。これにより、両側のドア開閉スイッチ１２Ｒ，Ｌが動作不可の状態が維持され、同時に開閉可ランプ１３ｂの消灯状態が維持され、開閉不可ランプ１３ｃの点灯状態が維持される（ステップ１０）。そして、コントローラ３０は、切替レバーの位置確認ステップ（ステップ２）を経て、再び信号入力待ちの状態になる（ステップ３）。
【００６５】
下り列車Ｔがさらに進み、位置Ｐ４を通過して位置Ｐ５に達すると、検知器２０は下り列車用ホーム位置情報タグ４０ｃからの信号Ｓok-1を検知し、この信号が信号入力待ち状態のコントローラ３０の信号判断部３２へと入力される。信号待ち状態の信号判断部３２は、検知器２０からの信号の内容を読み取ることができるか否かを判断し（ステップ４）、読み取り可能と判断すると、ランプ制御ステップ（ステップ５）を経て、その信号の内容を読み取る（ステップ７）。入力された信号は、右側ドア開閉可能信号Ｓok-1であるので、コントローラ３０は、一方側（本実施形態では下り列車進行方向右側）のドア開閉スイッチ１２Ｒの回路スイッチ１２ｓＲをオンにする。すると、一方側のドア開閉スイッチ１２Ｒによって下り列車進行方向右側のドアＤを開閉することができる状態になる（ステップ８）。そして、同時に開閉不可ランプ１３ｃが点灯状態から消灯状態になり、開閉可ランプ１３ｂが消灯状態から点灯状態になる（ステップ８）。そして、コントローラ３０は、切替レバーの位置確認ステップ（ステップ２）を経て、再び信号入力待ちの状態になる（ステップ３）。
【００６６】
下り列車Ｔは、その後、下り列車停止位置Ｓａに停止する（位置Ｐ６参照）。ここで、運転者は、下り列車進行方向右側に位置する一方側のドア開閉スイッチ１２Ｒを操作して下り列車進行方向右側のドアＤを開いて乗降可能な状態にし、その後、ドアＤを一方側のドア開閉スイッチ１２Ｒを使って閉じて、下り列車Ｔの走行を再開する。
【００６７】
走行を再開した下り列車Ｔは、その後、位置Ｐ７（図４（ｂ）参照）に達する。ここで、下り列車Ｔの検知器２０は、タグ４０ｄからの左側ドア開閉可信号Ｓok-2を検知し、検知されたドア開閉可信号Ｓok-2が信号判断部３２に入力され、信号判断部３２で読み取り可能か否か判断され、読み取り可能と判断されると（ステップ４）、ランプ制御ステップ（ステップ５）を経て、信号の内容が読み取られる（ステップ７）。入力信号は左側ドア開閉可信号Ｓok-2であるので、信号内容を読み取ったコントローラ３０は、左側ドア開閉可能ステップ（ステップ９）を実行する。そして、コントローラ３０は、切替レバーの位置確認ステップ（ステップ２）を経て、再び信号入力待ちの状態になる（ステップ３）。
【００６８】
下り列車Ｔは、その後、位置Ｐ７を通過して位置Ｐ８に達する。ここで、下り列車Ｔの検知器２０は、リセットタグ５０ａからのドア開閉不可信号Ｓngを検知する。そして、検知されたドア開閉不可信号Ｓngが信号入力待ち状態のコントローラ３０の信号判断部３２に入力される。信号判断部３２は、先に説明したように、入力された信号が読み取り可能であると判断すると（ステップ４）、ランプ制御ステップ（ステップ５）を経て、信号の内容を読み取る（ステップ７）。入力された信号はドア開閉不可信号Ｓngであるので、信号内容を読み取ったコントローラ３０は、両側のドア開閉スイッチ１２Ｒ，Ｌの回路スイッチ１２ｓＲ，１２ｓＬをオフ状態にする（ステップ１０）。これにより、両側のドア開閉スイッチ１２Ｒ，Ｌが動作不可の状態が維持される。また、同時に開閉可ランプ１３ｂが点灯状態から消灯状態になり、開閉不可ランプ１３ｃが消灯状態から点灯状態になる（ステップ１０）。そして、コントローラ３０は、切替レバーの位置確認ステップ（ステップ２）を経て、再び信号入力待ちの状態になる（ステップ３）。
【００６９】
下り列車Ｔは、その後プラットホームＦ２から進出する。そして、下り列車Ｔが次の駅のプラットホームに進入すると、当該次の駅において、上記動作を繰り返す。ここで、例えば下り列車用ホーム位置情報タグが左側用タグであれば、列車進行方向左側のドア開閉を可能にする左側ドア開閉可能信号Ｓok-2を受信することになるので、図５のステップ９を実行することになる。実行する内容は、開閉可能になるドアが右側ではなく左側であること以外、ステップ８と同様であるので、ここでは、その詳細な説明を省略する。
【００７０】
このように、双方向軌道の線路Ｒｍに沿って設置されたプラットホームＦ２の場合に、上記のような配置でホーム位置情報タグ４０やリセットタグ５０を設置すれば、上り列車運行時、上り列車が停止位置で停止する前に、上り列車の検知器が誤って下り列車用ホーム位置情報タグの情報を検知することが確実に防止される。同様に、下り列車運行時、下り列車が停止位置で停止する前に、下り列車の検知器が誤って上り列車用ホーム位置情報タグの情報を検知することが確実に防止される。つまり、ドア開閉制御システムの動作がより確実に実現される。また、上り及び下りのいずれの列車がプラットホームから進出する場合であっても、検知器が最後に検知する情報は開閉不可指示情報である。従って、駅のプラットホームから進出して次の駅のプラットホームに進入するまでの間、列車のドアを誤って開放させるようなことが確実に防止され、簡単かつ迅速なドア開閉作業が実現される。
【００７１】
なお、本願の発明は、以上の実施例に限定されず、その要旨を逸脱しない範囲において、種々の変形が可能である。
【００７２】
例えば、図６に示されるように、各戸締機構１４Ｒ，Ｌを動作させる各回路１２ｐＲ，Ｌに設置された各回路スイッチ１２ｓＲ，Ｌとしては、各回路１２ｓＲ，Ｌ上に設置された開閉接点１２ｓＲ１，１２ｓＬ１と、当該開閉接点の開閉に用いられるコイル（開閉手段）１２ｓＲ２，１２ｓＬ２とを構成要素として有する継電器（リレー）１２ｓＲ，１２ｓＬを用いることができる。この場合、スイッチ制御部３３は、各継電器１２ｓＲ，Ｌのコイル１２ｓＲ２，Ｌ２に動作信号を送信して当該コイル１２ｓＲ２，Ｌ２を作動させる。
具体的に説明すると、スイッチ制御部３３は、列車の一方側（例えば右側）のサイドのドアを開閉可能にするために回路スイッチ１２ｓＲをオン状態にする場合、コイル１２ｓＲ２に通電信号を送って当該コイル１２ｓＲ２を通電状態とし、これにより開閉接点１２ｓＲ１を閉じて、回路スイッチ１２ｓＲをオン状態とする。そして、列車の一方側のサイドのドアのみを開閉可能にする場合、スイッチ制御部３３は、コイルｓＲ２に通電信号を送信すると同時にコイル１２ｓＬ２に停電信号を送信し、これにより開閉接点１２ｓＬ１を開状態として回路スイッチ１２ｓＬを確実にオフ状態とする。他方、列車の他方側（例えば左側）のサイドのドアを開閉可能にするために回路スイッチ１２ｓＬをオン状態にする場合、コイル１２ｓＬ２に通電信号を送って当該コイル１２ｓＬ２を通電状態とし、これにより開閉接点１２ｓＬ１を閉じて、回路スイッチ１２ｓＬをオン状態とする。そして、列車の他方側のサイドのドアのみを開閉可能にする場合、スイッチ制御部３３は、コイルｓＬ２に通電信号を送信すると同時にコイル１２ｓＲ２に停電信号を送信し、開閉接点１２ｓＲ１を開状態として回路スイッチ１２ｓＲを確実にオフ状態とする。
そして、このような構成において、配線で接続された制御部３０のスイッチ制御部３３と回路スイッチ１２ｓＲのコイル１２ｓＲ２との間と、スイッチ制御部３３と回路スイッチ１２ｓＬのコイル１２ｓＬ２との間に、回路スイッチ１２ｓＲ，１２ｓＬ側からスイッチ制御部３３側への電流の流入を阻止する整流作用を有するダイオード（整流手段）６１ａ，６１ｂを設置することが考えられる。より具体的に説明すれば、ダイオード６１ａ，６１ｂは、スイッチ制御部３３とコイル１２ｓＲ２，Ｌ２との間に配線された２本の信号線を相互に接続するように、コイル１２ｓＲ２，Ｌ２に対して並列の状態で設置される。なお、この信号線は、上記通電信号や停電信号を送信するためのものである。
【００７３】
ところで、上記各回路スイッチ１２ｓＲ，Ｌは、戸締機構１４Ｒ，Ｌに動作用の電力を供給する回路を構成する配線１２ｐＲ，Ｌ上に設置されたものであるということが可能である。さらに、各回路スイッチ１２ｓＲ，Ｌは、戸締機構１４Ｒ，Ｌの開閉動作に用いられるドア開閉スイッチ１２Ｒ，Ｌが設置された配線上に設置されたものであるということができる。
また、ドア開閉スイッチ１２Ｒ，Ｌは、上述したように、開接点１２Ｒａ，Ｌａに接続された状態、閉接点１２Ｒｂ，Ｌｂに接続された状態、いずれの接点にも接続されていないニュートラル状態（図６参照）にすることができるようになっている。つまり、回路スイッチ１２ｓＲ，Ｌは、当該スイッチのオンオフさせることで、ドア開閉スイッチ１２Ｒ，Ｌを使用可能状態にしたり、使用不可状態にしたりすることができるようにするために設置されたものである。回路スイッチ１２ｓＲ，Ｌは、ドア開閉スイッチ１２Ｒ，Ｌがいずれの状態にある場合でもオンオフ動作される可能性があるが、ドア開閉スイッチ１２Ｒ，Ｌがニュートラル状態のときにオンオフ動作される場合が最も多い。
そして、例えば、ドア開閉スイッチ１２Ｒ，Ｌがニュートラル状態であるときに回路スイッチ１２ｓＲ，Ｌのオフ動作が実行される場合に着目すると、各スイッチ１２ＳＲ，Ｌのオフ動作は、ニュートラル状態になる直前のドア開閉スイッチ１２Ｒ，Ｌの操作（以下、直前操作）の違いによって大別することができるものである。つまり、当該オフ動作は、ドア開閉スイッチ１２Ｒ，Ｌが開接点１２Ｒａ，Ｌａ（図６参照）に接続された状態からニュートラル状態にされた後に実行される場合と、閉接点１２Ｒｂ，Ｌｂに接続された状態からニュートラル状態にされた後に実行される場合と、回路スイッチ１２ｓＲ，Ｌがオンされた後、当該オフ動作がなされるまで一度もドア開閉スイッチ１２Ｒ，Ｌが開接点１２Ｒａ，Ｌａや閉接点１２Ｒｂ，Ｌｂに接続されずニュートラル状態が維持された後に実行される場合の３つの場合に大別できる。
このように、回路スイッチ１２ｓＲ，１２ｓＬのオフ動作は、一定の条件の下になされる動作ではなく、様々な環境の下で実行される動作であるので、当該オフ動作の際に切り離される回路スイッチ１２ｓＲ，Ｌの接点においてノイズが発生することがある。ノイズが発生すると、コイルと信号線である配線とを介して回路スイッチ１２ｓＲ，Ｌにつながっているスイッチ制御部３３に悪影響が及んで誤動作や制御停止などの不具合が発生する可能性がある。ドア開閉スイッチを常時操作可能なこれまでの装置では、このような不具合が生じることはないが、当該オフ動作が可能な構成においては、このような不具合が生じる。この点、上述したような位置に配置させたダイオード（整流手段）６１ａ，６１ｂを設ければ、スイッチ制御部３３の誤動作がより確実に防止され、列車ドア開閉制御システムの運用状態をより安定させることができる。
【図１】
2010254294.tif 000003
【図２】
2010254294.tif 000004
【図３】
2010254294.tif 000005
【図４】
2010254294.tif 000006
【図５】
2010254294.tif 000007
【図６】
2010254294.tif 000008